(57)【要約】【課題】  両面同時読み取り装置において、消費電力を低減する。【解決手段】  両面を同時に読み取る機構を搭載した装置において、ＡＤＦによって原稿を搬送して画像を読み取る場合に、画像読取装置本体に内蔵された読み取り部と比較して消費電力の小さいＡＤＦ内蔵の取り部のみを用いるように制御することにより、従来よりも消費電力やそのピークを下げることができる。また、画像読取装置本体に内蔵した画像読み取り部の通電を停止することができ、さらに消費電力を下げることができる。【選択図】  図１２
2007174063.tif 000002
【特許請求の範囲】
【請求項１】
原稿を搬送する原稿搬送装置と、
前記原稿搬送装置に内蔵され、前記原稿搬送装置により搬送される原稿の画像を読み取り可能な第１の画像読取ユニットと、
前記原稿搬送装置と接続され、原稿載置台に載置された原稿の画像又は前記原稿搬送装置により搬送される原稿の画像を読み取り可能な第２の画像読取ユニットと、
前記原稿搬送装置により搬送される原稿の画像を読み取る場合に、前記第２の画像読取ユニットを用いずに、前記第１の画像読取ユニットのみを用いて前記原稿の画像を読み取るように制御する制御手段と、
を有することを特徴とする画像読取システム。
【請求項２】
前記制御手段が、前記原稿搬送装置により搬送される原稿の画像を前記第２の画像読取ユニットを用いずに、前記第１の画像読取ユニットのみを用いて前記原稿の画像を読み取るように制御する場合に、前記第２の画像読取ユニットに電力を供給しないことを特徴とする請求項１に記載の画像読取システム。
【請求項３】
さらに、前記原稿搬送装置により搬送される原稿の第１面と第２面を反転させる原稿反転機構を備え、前記制御手段は、前記原稿搬送装置により搬送される前記原稿の両面の画像を前記第１の画像読取ユニットのみを用いて読み取る場合に、前記原稿反転機構を用いて原稿の第１面と第２面を反転させるように制御することを特徴とする請求項１又は２に記載の画像読取システム。
【請求項４】
前記原稿の両面の画像を前記第１の画像読取ユニットのみを用いて読み取った後で、さらに、前記原稿反転機構を用いて原稿を反転してから排紙することを特徴とする請求項３に記載の画像読取システム。
【請求項５】
電力消費を抑制するための省電力モードに設定する設定手段を備え、前記設定手段により前記省電力モードが設定された場合に、前記制御手段は、前記第１の画像読取ユニットのみを用いて前記原稿の画像を読み取るように制御することを特徴とする請求項１乃至４のいずれか１項記載の画像読取システム。
【請求項６】
原稿を搬送する原稿搬送装置と、前記原稿搬送装置に内蔵され、前記原稿搬送装置により搬送される原稿の画像を読み取る第１の画像読取ユニットと、前記原稿搬送装置と接続され、原稿載置台に載置された原稿の画像又は前記原稿搬送装置により搬送される原稿の画像を読み取り可能な第２の画像読取ユニットとを備えた画像読取システムの制御方法であって、
前記原稿搬送装置により搬送される原稿の画像を読み取る場合に、前記第１の画像読取ユニットのみを用いて前記原稿の画像を読み取るように制御することを特徴とする画像読取装置の制御方法。
【請求項７】
前記原稿搬送装置により搬送される原稿の画像を前記第２の画像読取ユニットを用いずに、前記第１の画像読取ユニットのみを用いて前記原稿の画像を読み取るように制御する場合に、前記第２の画像読み取りユニットに電力を供給しなことを特徴とする請求項６に記載の画像読取システムの制御方法。
【請求項８】
前記画像読取システムは、さらに、前記原稿搬送装置により搬送される原稿を反転させる原稿反転機構を備え、前記原稿搬送装置により搬送される前記原稿の両面の画像を前記第１の画像読取ユニットのみを用いて読み取る場合に、前記原稿反転機構を用いて原稿の第１面と第２面を反転させるように制御することを特徴とする請求項６又は７に記載の画像読取システムの制御方法。
【請求項９】
前記原稿の両面の画像を前記第１の画像読取ユニットのみを用いて読み取った後で、さらに、前記原稿反転機構を用いて原稿を反転してから排紙することを特徴とする請求項８に記載の画像読取システムの制御方法。
【請求項１０】
電力消費を抑制する省電力モードを備え、前記省電力モードが選択された場合に、前記第１の画像読取ユニットのみを用いて前記原稿の画像を読み取るように制御することを特徴とする請求項６乃至９のいずれか１項記載の画像読取システムの制御方法。
【発明の詳細な説明】
【技術分野】
【０００１】
本発明は、原稿の両面を読み取ることができる画像読取システムおよびその制御方法に関するものである。
【背景技術】
【０００２】
現在、多くの紙原稿を読み取る画像読取装置は、原稿の主走査方向を読み取る一次元イメージセンサ（以下、一次元センサ）と原稿画像とを主走査方向と直交する副走査方向に相対的に移動させることによって、原稿全体の画像を読み取っている。
【０００３】
原稿５０５をプラテンガラスの上に載置した状態で、原稿画像を読み取る方式（以下、固定読み方式）について図１５を使って説明する。
【０００４】
まず、オペレータは、読み取る原稿５０５をプラテンガラスの上に載置し、画像読取装置に読み取り開始の指令を与える。その指令に応じて、第１ミラーユニット５０４に搭載されるランプによって原稿を照明する。そして、原稿５０５からの反射光を第１ミラーユニット５０４と第２ミラーユニット５０３により一次元センサ５０６に導くことによって主走査方向５０８（紙面直交方向）の１ラインの画像を読み取る。さらに、不図示の駆動装置によって第１ミラーユニット５０４と第２ミラーユニット５０３を同期させてプラテンガラス上の原稿５０５から一次元センサ５０６までの光路長を一定に保ちながら動かすことにより、原稿５０５を副走査方向５０７に走査する。このようにして、一次元センサ５０６により原稿全体の画像を読み取る。
【０００５】
次に、原稿５０５を動かして画像を読み取る方式（以下、流し読み方式）について図１４を使って説明する。
【０００６】
まず、オペレータは、図１５（ａ）のように読み取る原稿５０５を原稿自動搬送装置（以下、ＡＤＦ：Ａｕｔｏｍａｔｉｃ  Ｄｏｃｕｍｅｎｔ  Ｆｅｅｄｅｒ）に載置し、画像読取装置に読み取り開始の指令を与える。その指令に応じて、図１５（ｂ）のように第１ミラーユニット５０４と第２ミラーユニット５０３を流し読み時の所定位置に移動し、その状態で図１５（ｃ）のようにＡＤＦによって副走査方向に搬送される原稿の画像を一次元センサ５０６によって読み取る。
【０００７】
両面原稿を読む場合には、固定読み方式では、オペレータが原稿を反転して再度プラテンガラス上に載置し、片面原稿と同じ要領で画像を読み取る。また、流し読み方式では、図１６に示すように、原稿の表面画像の読み取り後に、ＡＤＦに設けられた原稿反転機構によって自動的に原稿を反転し、原稿の裏面画像を読み取る（両面原稿反転読み方式）。原稿反転機構は図１６（ｂ）に示した排紙搬送ローラ５３１と反転フラッパ５３２によって構成される。排紙搬送ローラ５３１は原稿を副走査方向に正逆方向ともに搬送可能な構成になっている。図１６（ａ）のように、原稿の表面画像の読み取りが終了して、原稿が排紙トレイに向けて搬送され、原稿の後端が反転フラッパ５３２を超えると、搬送ローラを停止して原稿の搬送を止める。同時に反転フラッパ５３２の位置（向き）を図１６（ｂ）のように変更し、原稿が図１６（ａ）の表面画像読み取り時に通ってきた搬送路から別の搬送路になるよう切り換える。そして、図１７のように搬送ローラを逆転して、初めに通ってきた搬送路に原稿を戻すことによって原稿の裏面画像を読み取る。
【０００８】
このように原稿反転機構を設けて原稿の両面を読み取る方式が一般的ではあるが、一方で、原稿搬送路の両側に読み取り部を設け、１回の原稿搬送で原稿の表裏両面の画像を同時に読み取る機構が考案されている（両面原稿同時読み方式、例えば特許文献１参照）。
【特許文献１】特開２００５−２１０２６８号公報
【発明の開示】
【発明が解決しようとする課題】
【０００９】
現存する多くの装置は、その機能の高機能・多機能化に伴い、エネルギ消費量も増大してきている。画像読取装置も例外ではなく、例えば単位時間あたりの読み取り可能枚数の増大や、上記したような両面同時読み取り機能の搭載によって消費電力は増加の一途を辿っており、高機能を維持しつつ、かつ、エネルギ削減が求められている。
【課題を解決するための手段】
【００１０】
本発明は、上記したような課題を解決するためになされたものであり、請求項１に記載の画像読取システムは、原稿を搬送する原稿搬送装置と、前記原稿搬送装置に内蔵され、前記原稿搬送装置により搬送される原稿の画像を読み取り可能な第１の画像読取ユニットと、前記原稿搬送装置と接続され、原稿載置台に載置された原稿の画像又は前記原稿搬送装置により搬送される原稿の画像を読み取り可能な第２の画像読取ユニットと、前記原稿搬送装置により搬送される原稿の画像を読み取る場合に、前記第２の画像読取ユニットを用いずに、前記第１の画像読取ユニットのみを用いて前記原稿の画像を読み取るように制御する制御手段と、を有することを特徴とする。
【００１１】
請求項６に記載の画像読取システムの制御方法は、原稿を搬送する原稿搬送装置と、前記原稿搬送装置に内蔵され、前記原稿搬送装置により搬送される原稿の画像を読み取る第１の画像読取ユニットと、前記原稿搬送装置と接続され、原稿載置台に載置された原稿の画像又は前記原稿搬送装置により搬送される原稿の画像を読み取り可能な第２の画像読取ユニットとを備えた画像読取システムの制御方法であって、前記原稿搬送装置により搬送される原稿の画像を読み取る場合に、前記第１の画像読取ユニットのみを用いて前記原稿の画像を読み取るように制御することを特徴とする。
【発明の効果】
【００１２】
本発明によると、原稿搬送装置により搬送される原稿の画像を原稿搬送装置に内蔵された第１の画像読取ユニットのみを用いて読み取るように制御することにより、消費電力を低減することが可能になる。
【発明を実施するための最良の形態】
【００１３】
以下に図面を参照して、この発明の好適な形態を例示的に詳しく説明する。ただし、この実施の形態に記載されている構成部品の寸法、材質、形状、その相対配置などは特に特定的な記載がない限りは、この発明の範囲をそれらのみに限定するものではない。
【実施例１】
【００１４】
以下、図面に基づいて本発明の実施例について説明する。図１は、第１の実施例における原稿読取装置の構成ブロック図である。図１を参照しながら本原稿読取装置の制御について簡単に説明する。原稿読取装置は、原稿自動搬送装置（以下、ＡＤＦ）１１２と画像読取装置１１３の二つの装置から構成される。
【００１５】
ＡＤＦ１１２は、原稿搬送ユニット６０１、第１の読取ユニット６０４、及びＡＤＦ制御装置６０３から構成される。原稿搬送ユニット６０１は、原稿トレイに載置された原稿を一枚ずつ分離して原稿搬送路内を搬送し、原稿の裏表を反転する原稿反転ユニット６０２を内蔵している。第１の読取ユニット６０４は、原稿画像の原稿搬送方向と直交する主走査方向に一次元的に読み取る一次元センサを備え、原稿搬送ユニット６０１により原稿を搬送しながら原稿全体の画像を読み取る。そして、ＡＤＦ制御装置６０３は、原稿搬送ユニット６０１に原稿を搬送させ、適切なタイミングで第１の読取ユニット６０４が原稿の画像を読み取るよう制御する。また、第１の読取ユニット６０４が読み取った画像データを装置外部にある両面同時読取制御装置６２１に転送する制御も行う。
【００１６】
画像読取装置１１３は、第２の読取ユニット６１１と画像読取装置制御装置６１２から構成される。第２の読取ユニット６１１は、原稿搬送ユニット６０１により搬送される原稿、又は、図１４に示したようにプラテンガラス上に載置された原稿を、原稿画像と相対移動する方向と直交する主走査方向に一次元的に読み取る一次元センサを備え、原稿画像と相対移動することによって原稿の全体画像を読み取る。画像読み取り制御装置６１２は、適切なタイミングで第２の読取ユニットが原稿の画像を読み取るよう制御する。また、第２の読取ユニットが読み取った画像のデータを装置外部にある両面同時読取制御装置６２１に転送する制御も行う。
【００１７】
両面同時読取制御装置６２１は、画像読取装置１１３やＡＤＦ１１２に対して画像読み取りの指示を与え、その結果として各読取ユニットが読み取った画像データを受け取り、画像印字など、次の処理に用いるための処理を行う。
【００１８】
このような両面原稿同時読み方式の画像読み取り装置において、ＡＤＦ１１２に搭載されている第１の読み取りユニット６０４は、原稿を搬送しながら読み取る機能のみを有すればよい。さらに、配置場所の制約が大きいため、等倍光学系のＣＩＳ（Ｃｏｎｔａｃｔ  Ｉｍａｇｉｎｇ  Ｓｅｎｓｏｒ）方式の読み取りユニットが採用されることが多い。
【００１９】
一方、画像読取装置１１３に搭載されている第２の読み取りユニット６１２は、読み取り位置を動かしながらプラテンガラス上に載置された原稿を読み取る固定読み方式にも対応している。そのため、原稿が原稿台ガラスから浮いてもある程度の読取画像品質を保証するために、被写界深度を深く取れるメリットがある縮小光学系で構成し、読み取り素子にはＣＣＤセンサを用いることが多い。縮小光学系を採用する場合、被写界深度の優位性を生かすために広範囲に亘って照明する必要があり、原稿とセンサ間の距離もＣＩＳ方式よりも長いため照明光量をＣＩＳ方式よりも大きくする必要がある。そのため、ＣＩＳ読取系に比べてＣＣＤ読取系は消費電力量が多い。これに対し、ＣＩＳ方式の読み取りユニットは、照明光量を縮小光学系ほど多く必要としないために、その消費電力は画像読取装置１１３に備わる第１の読取ユニット６０４に比べて著しく少ない。
【００２０】
消費電力の一例を挙げると、ＡＤＦ１１２に内蔵される第１の読取ユニット６０４は約１０Ｗ、画像読取装置１１３に備わる第２の読取ユニット６１１は約５０Ｗと、約５倍の違いがある。エネルギ消費量を抑える観点に立てば、ＡＤＦを用いて搬送される原稿の画像を読み取る場合に、画像読取装置１１３側の第２の読取ユニット６１１を使わず、ＡＤＦ１１２側の第１の読取ユニット６０４を使うようにすれば、大幅に消費電力を削減することができる。先の例では約５０Ｗが約１０Ｗになるので、約４０Ｗを削減することができ、約１／５にすることができる。
【００２１】
図２は、原稿読取装置の断面図であり、ＡＤＦ１１２によって原稿を自動的に搬送しながら原稿の画像を読み取る流し読み方式の動作を表す図である。
【００２２】
画像読取位置は２箇所あり、ＡＤＦ１１２に内蔵される第１の読取ユニット６０４の読取位置を矢印１０１で、画像読取装置１１３に内蔵される第２の読取ユニット６１１の読取位置を矢印１０２で、それぞれ表している。
【００２３】
まず、オペレータが、図２（ａ）のように、ＡＤＦ１１２の原稿トレイ１１０に読み取る原稿束を載置して装置に対して読み取り開始指令を与えると、図２（ｂ）のように原稿分離機構１１４によって原稿束の上から原稿が１枚ずつ分離される。図２（ｃ）のように原稿は搬送ローラ１０６〜１０９によって原稿搬送路に沿って搬送され、排紙トレイ１１１に排紙される。
【００２４】
ＡＤＦ１１２により原稿が搬送されることにより、読取位置１０１を原稿が通過する際に第１の読取ユニット６０４により原稿の片側の画像を読み取り、読取位置１０２を原稿が通過する際に第２の読取ユニット６１１によりもう一方の側の画像を連続的に読み取ることにより、原稿の両面画像全体を読み取ることができる。
【００２５】
図３を使って、ＡＤＦに内蔵された第１の読取ユニット６０４によって原稿の片面の画像のみを読み取る方式について説明する。図３（ａ）のようにＡＤＦ１１２の原稿トレイ１１０に読み取る面を下側にして載置された原稿束は、分離機構１１４によって原稿束の上から原稿が１枚づつ分離される。図３（ｃ）のように原稿は搬送ローラ１０６〜１０９によって原稿搬送路に沿って搬送され、原稿が読取位置１０１を通過する際に、第１の画像読取ユニット６０４が原稿上の搬送方向と直交した方向（主走査方向）を連続的に読み取る。原稿はＡＤＦによって搬送され続けるので原稿の画像全体を読み取ることができる。その後、原稿が排紙トレイ１１１に排紙される。
【００２６】
このように、ＡＤＦ１１２に内蔵される第１の読み取りユニット６０４を用いて原稿の片面の画像のみを読み取るように制御することによって、消費電力削減をすることができる。さらに、画像読取装置１１３は読み取りや原稿搬送に何ら寄与していないので通電を遮断することが可能であり、画像読取装置１１３による消費電力をも削減することができる。なお、本実施例のように、ＡＤＦ１１２に内蔵された第１の読取ユニット６０４で片面のみに画像が記録された原稿を読み取る場合には、原稿トレイ１１０に載置された原稿束の下側を読み取ることになるため、読み取る原稿面を下側にして原稿トレイ１１０に載置する必要がある。
【実施例２】
【００２７】
実施例１では、ＡＤＦの原稿トレイに載置された原稿の下側の面を読み取る例について説明したが、原稿の片面を読み取る場合、ＡＤＦの原稿トレイには、原稿の読み取る面を上側して載置する場合が多い。本実施例２は、このように、読み取る面を上側にしてＡＤＦの原稿トレイに載置する場合に対応した例である。ここでは、実施例１と動作が同じ場合や参照符号が同じ場合には、その詳細な説明を割愛する。
【００２８】
図４及び図５は、第２の実施例における原稿読取装置の断面図であり、ＡＤＦ１１２によって原稿を自動的に搬送しながら原稿の画像を読み取る流し読み方式の動作を表す図である。図３とほぼ同じ構成をしているが、ＡＤＦ１１２側に原稿反転機構２０３を有する構成となっている。
【００２９】
本実施例の原稿読取装置において、両面を同時に読み取る機構を有しながら原稿を反転する機構を取り入れている理由は、第１の読取ユニット６０４と第２の読取ユニット６１１の読取特性を厳密に合わせることが難しいために、原稿の表裏で読取特性をできるだけ合わせたい要望に対応するためである。
【００３０】
図４（ａ）のようにＡＤＦ１１２の原稿トレイ１１０に読み取る面を上側にして載置された原稿束は、図４（ｂ）のように分離機構１１４によって原稿束の上から原稿が１枚づつ分離される。図４（ｃ）のように原稿は搬送ローラ１０６〜１０９によって原稿搬送路に沿って搬送される。図５（ａ）のように原稿の後端が反転用フラッパ２０３を越えたところでフラッパの向き（位置）を変え、図５（ｂ）のように各搬送ローラを逆転することによって原稿を先ほど通った搬送路に戻す。そして、原稿が読取位置１０１を通過する際に、第１の画像読取ユニット６０４が原稿上の搬送方向と直交した方向（主走査方向）を連続的に読み取る。原稿はＡＤＦにより搬送されつづけるので原稿の画像全体を読み取ることができる。その後、原稿が排紙トレイ１１１に排紙される。以上のように制御することで、消費電力を削減しながら、原稿の表裏で読取特性をできるだけ合わせることができる。
【００３１】
このような動作を全ての原稿に対して行ったときには、原稿載置時の原稿束の順番と排紙されたときの順番が逆になる。原稿載置時の原稿束の順番を図６（ａ）で表すと、排紙時の順番は図６（ｂ）のようになり、上下方向の順番が逆になる。そこで、排紙時の原稿束の順番を読取前の載置順序と合わせたい場合には、原稿画像の読取後に排紙する前に、さらに反転フラッパ２１３を使って原稿を反転してから排紙する。このような搬送を行うことによって、図６（ｃ）に示すように原稿束の順序を読取前後で揃えることができる。なお、画像読取装置１１３は読み取りや原稿搬送に何ら寄与していないので通電を遮断することが可能であり、画像読取装置１１３による消費電力をも削減することができる。
【実施例３】
【００３２】
実施例１や２では、原稿の片面の画像を読み取る機構について説明したが、両面原稿も同様な考え方で読み取ることができる。ここでは、実施例１又は２と動作が同じ場合や参照符号が同じ場合には、その詳細な説明を割愛する。
【００３３】
図７乃至図９は、第３の実施例における原稿読取装置の断面図であり、ＡＤＦ１１２によって原稿を自動的に搬送しながら原稿の両面画像を読み取る流し読み方式の動作を表す図である。また、図１０は、各過程における原稿の向きを示す図である。
【００３４】
図７（ａ）のようにＡＤＦ１１２の原稿トレイ１１０に読み取る面を上側にして載置された原稿束（このときの原稿の向きを図１０（ａ）に示す）は、図７（ｂ）のように分離機構１１４によって原稿束の上から原稿が１枚づつ分離される。そして、図７（ｃ）のように原稿搬送ローラ１０６〜１０９によって原稿搬送路に沿って搬送される。各搬送ローラにより原稿が搬送されながら読取位置１０１を原稿が通過する際に、第１の読取ユニット６０４により原稿の第１面の画像を読み取る。原稿の第１面の画像を第１の読取ユニット６０４により読み取った後で、図８（ａ）に示すように原稿後端が反転フラッパ１０３を通過したら（このときの原稿の向きを図１０（ｂ）に示す）、フラッパ１０３の位置（向き）を不図示の駆動機構により変える。そして、図８（ｂ）に示すように各搬送ローラを逆転させることによって再び同じ搬送パスを通過するように原稿を搬送する。
【００３５】
搬送される原稿が読取位置１０１を再度通過する際に第１の読取ユニット６０４により原稿の第２面の画像を読み取る。第１の読取ユニット６０４により第２面の画像の読み取りが完了し、図８（ｃ）に示すように原稿の先端がフラッパ１０３を通過したら（このときの原稿の向きを図１０（ｃ）に示す）、フラッパ１０３の位置（向き）を変える。
【００３６】
そして、再度各搬送ローラを逆転させることにより、図９（ａ）に示すようにさらに同じ搬送パスに原稿を通過させ、図９（ｂ）に示すように排紙トレイ１１１に排紙する（このときの原稿の向きを図１０（ｄ）に示す）。
【００３７】
このように原稿を排紙する前にさらに反転フラッパ２０３を使って反転してから排紙する動作を全ての原稿に対して行うことにより、図１０（ａ）に示される原稿載置時の原稿束の順番が、排紙時には図１０（ｄ）のように上下逆になるが、排紙時の原稿束の順序を読取前の載置順序と合わせることができる。
【００３８】
原稿の上面から順番に読み取りを行いたい場合には、まず原稿の上下を反転させてから原稿の読取を開始すれば良い。図１１は、原稿の上面から順番に読み取りを行う場合の各過程における原稿の向きを示す図である。図７（ａ）のようにＡＤＦ１１２の原稿トレイ１１０に読み取る面を上側にして載置された原稿束（このときの原稿の向きを図１１（ａ）に示す）は、図７（ｂ）のように分離機構１１４によって原稿束の上から原稿が１枚づつ分離される。そして、図７（ｃ）のように原稿搬送ローラ１０６〜１０９によって原稿搬送路に沿って搬送される。なお、ここでは、各搬送ローラにより原稿が搬送されながら読取位置１０１を原稿が通過する際に、第１の読取ユニット６０４による原稿画像の読み取りは行わない。
【００３９】
図８（ａ）に示すように原稿後端が反転フラッパ１０３を通過したら（このときの原稿の向きを図１１（ｂ）に示す）、フラッパ１０３の位置（向き）を不図示の駆動機構により変える。そして、図８（ｂ）に示すように各搬送ローラを逆転させることによって再び同じ搬送パスを通過するように原稿を搬送する。搬送される原稿が読取位置１０１を再度通過する際に第１の読取ユニット６０４により原稿の第１面の画像を読み取る。第１の読取ユニット６０４により第１面の画像の読み取りが完了し、図８（ｃ）に示すように原稿の先端がフラッパ１０３を通過したら（このときの原稿の向きを図１１（ｃ）に示す）、フラッパ１０３の位置（向き）を変える。
【００４０】
そして、再度各搬送ローラを逆転させることにより、図９（ａ）に示すようにさらに同じ搬送パスに原稿を通過させる。搬送される原稿が読取位置１０１を再度通過する際に第１の読取ユニット６０４により原稿の第２面の画像を読み取る。第１の読取ユニット６０４により第２面の画像の読み取り後、図９（ｂ）に示すように排紙トレイ１１１に排紙する（このときの原稿の向きを図１１（ｄ）に示す）。
【００４１】
このような搬送読み取り制御により、原稿の上面から順番に読み取りを行う場合にも、排紙時の原稿束の順序を読取前の載置順序と合わせることができる。なお、画像読取装置１１３は読み取りや原稿搬送に何ら寄与していないので通電を遮断することが可能であり、画像読取装置１１３による消費電力をも削減することができる。
【実施例４】
【００４２】
通常の動作モードとは別に省電力モードを設け、この省電力モードが指定された場合に、実施例１〜３で説明したようなＡＤＦに内蔵されたＣＩＳで構成される省電力の画像読取ユニットのみを用いて原稿の画像を読み取るようにしてもよい。
【００４３】
図１２は、本実施例において、動作モードを指定するためのフローチャートである。また、本実施例における原稿読取装置は、図１３（ａ）に示すような入力部及び表示部を備えた操作部を備えている。図１３（ｂ）は、図１３（ａ）の表示４２０の詳細図である。
【００４４】
ステップＳ４０２では、装置の動作モードとして通常モードと省エネモードのいずれかのモードに設定する。省エネモードに設定する場合には、図１３（ｂ）に示すタッチパネル式の表示部４２０に表示される省エネモードボタン４２１に触れて反転表示させることで設定される。
【００４５】
ステップＳ４０３において、省エネモードが設定されていると判定された場合には、ステップＳ４０４において、画像読取装置は実施例１〜３に記載した如くＡＤＦに内蔵される省電力のＣＩＳ読取ユニットのみを使って原稿画像の読み取りを行う。一方、省エネモードが指定されない場合には、ステップＳ４０５において、画像読取装置１１３に内蔵された第２の読取ユニットを用いた原稿の片面読み取り動作、ＡＤＦ１１２に内蔵された第１の読取ユニット及び画像読取装置１１３に内蔵された第２の読取ユニット６１１を併用した両面同時読み取り動作を実行する。さらに、高画質な読取画像を必要とする場合には、画像読取装置１１３に内蔵された第２の読取ユニットのみを用いて原稿を反転給紙することにより両面反転読み取り動作を行うようにしてもよい。
【図面の簡単な説明】
【００４６】
【図１】第１の実施例における原稿読取装置の構成ブロック図である。
【図２】第１の実施例における原稿読取装置の断面図である。
【図３】第１の実施例における原稿読取装置の断面図である。
【図４】第２の実施例における原稿読取装置の断面図である。
【図５】第２の実施例における原稿読取装置の断面図である。
【図６】第２の実施例における原稿読取時の原稿束の順番を示す図である。
【図７】第３の実施例における原稿読取装置の断面図である。
【図８】第３の実施例における原稿読取装置の断面図である。
【図９】第３の実施例における原稿読取装置の断面図である。
【図１０】第３の実施例における原稿読取時の原稿束の順番を示す図である。
【図１１】第３の実施例における原稿読取時の原稿束の順番を示す図である。
【図１２】動作モードを指定するためのフローチャートである。
【図１３】入力部及び表示部を備えた操作部を示す図である。
【図１４】表示部を示す図である。
【図１５】従来の原稿読取装置の断面図である。
【図１６】従来の原稿読取装置の断面図である。
【図１７】従来の原稿読取装置の断面図である。
【符号の説明】
【００４７】
１１２  自動原稿搬送装置（ＡＤＦ）
１１３  画像読取装置
４２０  表示部
６０１  原稿搬送ユニット
６０３  ＡＤＦ制御装置
６０４  第１の読取ユニット
６１１  第２の読取ユニット
６１２  画像読取装置制御装置
６２１  両面同時読取制御装置
【図１】
2007174063.tif 000003
【図２】
2007174063.tif 000004
【図３】
2007174063.tif 000005
【図４】
2007174063.tif 000006
【図５】
2007174063.tif 000007
【図６】
2007174063.tif 000008
【図７】
2007174063.tif 000009
【図８】
2007174063.tif 000010
【図９】
2007174063.tif 000011
【図１０】
2007174063.tif 000012
【図１１】
2007174063.tif 000013
【図１２】
2007174063.tif 000014
【図１３】
2007174063.tif 000015
【図１４】
2007174063.tif 000016
【図１５】
2007174063.tif 000017
【図１６】
2007174063.tif 000018
【図１７】
2007174063.tif 000019